【事件の表示】
　特願２００６−５３９７５７「細胞培養、細胞処理及び試料透析用仕切り付装置及び細胞培養方法」拒絶査定不服審判事件〔平成１７年　５月２６日国際公開、ＷＯ２００５／０４７４５３、平成１９年　４月２６日国内公表、特表２００７−５１０４３３〕について、次のとおり審決する。
【結　論】
　本件審判の請求は、成り立たない。
【理　由】
第１　手続の経緯
　本願は、２００４年１１月１０日（パリ条約による優先権主張外国庁受理２００３年１１月１０日、米国）を国際出願日とする出願であって、その後の手続の経緯は、次のとおりである。
　
　平成２２年　６月２１日付け　　拒絶理由通知書
　平成２２年１２月２４日付け　　意見書・手続補正書
　平成２３年　４月２８日付け　　拒絶理由通知書（最後）
　平成２３年　８月１０日付け　　意見書・手続補正書
　平成２３年　９月１６日付け　　補正の却下の決定・拒絶査定
　平成２４年　１月２７日付け　　審判請求書・手続補正書（請求項２〜８の削除）
　平成２５年  ５月２９日付け　　審尋
　
第２　本願発明
　前記「第１　手続の経緯」のとおり、平成２４年１月２７日付けの手続補正は、平成２２年１２月２４日付け手続補正書の特許請求の範囲に記載された請求項１〜８のうち、請求項２〜８を削除するものであるから、平成１８年法律第５５号改正附則第３条第１項によりなお従前の例によるとされる同法による改正前の特許法第１７条の２第４項第１号の要件に適合する。
　よって、本願の請求項１に係る発明（以下、「本願発明」という。）は、平成２４年１月２７日付け手続補正書の特許請求の範囲の請求項１に記載された事項により特定される次のとおりのものと認める。
　
「【請求項１】
仕切られている細胞培養装置であって、平坦なガス透過性底部を有する装置ハウジングと、前記装置ハウジング内において前記ガス透過性底部から所定の距離を空けて設けられ、基礎培地を貯蔵するための基礎培地区画と、前記基礎培地区画と前記装置ハウジングのガス透過性底部との間の空間、及び前記基礎培地区画と前記装置ハウジングの側面との間の空間に設けられ、細胞培養培地を貯蔵するための細胞培養区画と、前記基礎培地区画へのアクセスポートと、前記細胞培養区画へのアクセスポートとを備え、前記基礎培地と前記細胞培養培地との間を通過可能にすると共に前記細胞培養区画内に保持されることを制御するため、前記基礎培地区画の側面及び前記基礎培地区画の底部の少なくとも一部が半透膜からなる細胞培養装置。」
　
第３　刊行物及び刊行物に記載された事項
１　原査定の拒絶理由に引用された本願の優先日前に頒布された刊行物である「特開平８−１７３１４５号公報」（以下、「刊行物１」という。）には、次の事項が記載されている。
　なお、下線は、当審にて付したものである。以下、同様である。
　
（刊１−１）「【特許請求の範囲】
【請求項１】  
膜を介する細胞の同時培養用のローラ瓶
長手方向軸線と、側壁と、第一の端部及び第二の端部を有する、内部の
第一のチャンバ
流体アクセス口
外部容器
内部の
第二のチャンバ
同軸状に配置
内部容器
前記外部容器の前記第二の端部、及び前記内部容器の前記第二の端部の各々が、前記第二のチャンバに対する
アクセス口
前記外部容器が、気体及び流体に対して略不透過性である材料で形成され且つ前記第一の端部及び前記第二の端部にて流体密に略密封され、これにより、前記第一の端部にて前記第一のネック部からの前記流体アクセス口を有する前記第一のチャンバを形成し、
前記内部容器が、側壁を有し、該
側壁の少なくとも一部分が微孔質材料
前記内部容器の側壁が、前記内部容器の前記第一の端部及び前記第二の端部にて略流体密に密封され、これにより、前記内部容器の第二の端部から及び前記膜を介して流体のアクセスがなされる前記第二のチャンバを形成することを特徴とするローラ瓶。」
　
（刊１−２）「【発明の詳細な説明】
【０００１】
【発明の属する技術分野】本発明は、全体として、細胞の培養技術、より具体的には、膜を介する（Ｔｒａｎｓ−ｍｅｍｂｒａｎｅ）細胞の同時培養に適したローラ瓶に関する。
【０００２】
【従来の技術】各種の細胞を培養することは、多くの研究所における日常的な方法となっている。化合物の採取、有害な化合物に対する各種の感度試験、又は、移植片に対する組織の提供といった目的のため、細胞の培養が行われる。極く最近では、ある種類の細胞ともう一方の種類の細胞との相互作用を研究する目的のため、微孔質膜の両側部にて種類の異なる細胞の同時培養が行われている。この
微孔質膜の機能は、水性培地に可溶性である細胞代謝物及び細胞生成物を使用して、種類の異なる細胞間の化学的連絡を許容する一方で、一種類の細胞が別の種類の細胞と物理的に接触するのを防止することにある
・・・
【０００７】こうした最も一般的な適用例では、瓶には、培養すべき細胞の懸濁液を含む水性成長培地が数百ミリリットル、充填される。これらの瓶は、一般に、温度及び雰囲気が制御された環境内でその両側部が研究用ローラ装置に接するように取り付け、その瓶の内面の長手方向部分が常に成長培地で湿潤された状態にあり、また数日間、その軸線を中心としてゆっくりと（約１−２ｒｐｍ）回転させる。この間に、細胞は、一般に、それ自体が瓶の表面に付着して、成長培地中の栄養分を吸収して成長する。多くの適用例において、副生成物の採取、老廃物の除去、又は栄養分の補充のため、成長サイクル中、成長培地を排液し且つ再充填しなければならない。」
　
（刊１−３）「【０００９】
【課題を解決するための手段】膜を介しての細胞の同時培養に好適なローラ瓶は、
側壁により囲繞された第一のチャンバ
流体アクセス口
外部容器
第二のチャンバが設けられた内部容器
外部容器の内側に同軸状に配置
流体アクセス口
外部容器は、気体及び液体に対して略不透過性である材料で形成することが望ましい
内部容器の少なくとも一部は、微孔質材料で形成することが望ましい
【００１０】ローラ瓶内で
膜を介する細胞の同時培養
瓶を水平に置いたとき
第二のチャンバは、外部容器内に配置された内部容器
該内部容器は、第一の細胞個体群と第二の細胞個体群とが物理的に接触するのを実質的に防止する一方で、第一のチャンバと第二のチャンバとの流体連通を許容する微孔質膜で形成された側壁を有することが望ましい
水性培地に可溶性の細胞代謝物は、膜を通じて自由に透過する
膜は、二つの細胞個体群を物理的に分離した状態に保つ働きをする
　
（刊１−４）「【００１２】
【発明の実施の形態】本発明は、多くの異なる形態の実施例で満足されるが、この開示内容は、本発明の原理の一例にしか過ぎず、本発明の範囲を図示した実施例にのみ限定することを意図するものではないという理解の下に、本発明の幾つかの実施例を図示し且つ以下に説明する。本発明の範囲は、請求の範囲の記載及びその均等物により判断されるべきである。
【００１３】
図１及び図２
同時培養用のローラ瓶１０
側壁１４
略円筒状の外部容器１２
第一のチャンバ１６
貫通するネック部開口部２２
第一のチャンバ１６に対する流体アクセス口
【００１４】ローラ瓶１０は、その内部に
第二のチャンバ２８
内部容器２６
貫通開口部３６を有する第二のネック部３４
第二のチャンバ２８に対する流体アクセス口
第二のネック部３４は、第二のチャンバ２８のみに対する流体アクセス口
【００１５】外部容器１２は、気体及び液体に対して略不透過性である材料で形成し、第一の端部１８及び第二の端部２４にて略流体密に密封されて、第一の端部１８に第一のチャンバ１６に対して第一のネック部２０からの流体アクセス口を形成することが望ましい。
内部容器２６の少なくとも一部分３８は、微孔質材料で形成
内部容器２６は、微孔質材料で形成した側壁４０を備える
・・・
【００１８】微孔質膜に適した材料としては、開放貫通孔が形成されたポリエチレン・テレフタレート、ポリカーボネート等のようなポリマー材料があるが、これらにのみ限定されるものではない。膜は厚さ約２０ミクロン乃至約３０ミクロンであり、孔は直径約０．２ミクロン乃至約１０ミクロンの範囲にあり、多孔度は平方ｃｍ当たり約０．１×１０6乃至約１０．０×１０6の範囲であることが望ましい。好適な微孔質膜としては、「サイクロポア（Ｃｙｃｌｏｐｏｒｅ）（登録商標名）」（ベルギー国、ルーベン・ラ・ニューベのアベニュー・アインスタイン（Ａｖｅｎｕｅ  Ｅｉｎｓｔｅｉｎ，Ｌｏｕｖａｉｎ−ｌａ−Ｎｅｕｖｅ，Ｂｅｌｇｉｕｍ））及び「ポアティックス（Ｐｏｒｅｔｉｃｓ）（登録商標名）」（カリフォルニア州、リバーモア（Ｌｉｂｅｒｍｏｒｅ，ＣＡ））が販売するトラックエッチング処理膜を含むが、これらにのみ限定されるものではない。
微孔質膜は、第一のチャンバ内の第一の細胞個体群と第二のチャンバ内の第二の細胞個体群との物理的な接触を略防止する一方で、これらの細胞個体群を流体連通させる働きをする
　
（刊１−５）「【図１】
」
　
（刊１−６）「【図２】
」
　
２　原査定の拒絶理由に引用された本願の優先日前に頒布された刊行物である「特開平６−１８１７４９号公報」（以下、「刊行物２」という。）には、次の事項が記載されている。
　
（刊２−１）「【要約】
【構成】　透析膜（９）により添加される栄養培地（８）と分けられており、栄養分は前記透析膜を通して細胞培養チャンバー（５）内に移し入れられ、代謝産物は細胞培養チャンバーから栄養チャンバー（６）へ移し出される、細胞培養を含有する少なくとも一つの細胞培養チャンバーを備え、且つ
細胞培養中に要求されそして生成される気体用の供給および排出系
部分的に細胞培養チャンバーの境界を定める気体交換膜（１２）が、気体の供給および排出系
【効果】  本発明の培養容器により、高い細胞密度および純度で細胞培養を行うことが容易にできる。」
　
（刊２−２）「【特許請求の範囲】
【請求項１】  透析膜により添加される栄養培地と分けられており、栄養分は前記透析膜を通して細胞培養チャンバー内に移し入れられ、代謝産物は細胞培養チャンバーから栄養チャンバーへ移し出される、細胞培養を含有する少なくとも一つの細胞培養チャンバーを備え、且つ細胞培養中に要求されそして生成される気体用の供給および排出系を備えている細胞培養用容器において、細胞培養を汚染する微生物および液体を透過させない、
部分的に細胞培養チャンバー（５；４１）の境界を定める気体交換膜（１２；１７；２８；４３）が、気体の供給および排出系として備えられている
【請求項１７】　前記細胞培養チャンバー（１）の全面が膜（１２；１７；２８；４３；９；２１；２２；４２）により境界を定められ、その一部が透析膜（９；２２；４２）および気体交換膜（１２；１７；２８；４３）からなり、該透析膜（９；２２；４２）と
気体交換膜（１２；１７；２８；４３）の表面積が、細胞培養（７；３６）が細胞の呼吸および生理学的条件の維持に必要な気体ならびに栄養を供給されることを確かにし、そして代謝産物が移し出されることを確かにするに充分な大きさとされる
・・・」
　
（刊２−３）「【０００６】・・・この公知の培養容器においては、培養細胞の代謝および生理学的条件の創製に必要な気体は、周囲雰囲気を構成する混合気体を供給チャンバー内に取り入れることにより供給され；酸素は栄養培地中に物理学的に溶解し、そして透析膜を通してそこから生産チャンバー内に移し入れられる。透析膜を通した酸素の供給チャンバーから細胞培養チャンバー内への移送はあまり効率的ではないが、約１０７細胞／ｍｌまでの細胞密度には充分である。細胞密度がより高くなると酸素供給の改善が必要となる。細胞密度がより高くなると細胞培養チャンバー内の酸素含有量が数分間で排気され、そして供給チャンバー内の酸素が１時間たらずで使い尽くされる程に細胞の酸素要求が増大するので、追加の酸素が気体相から供給チャンバー内の栄養培地に誘導されなければならない。この公知の培養容器の弱点は、回転リードスルーを通すＣＯ２/空気混合気の連続供給が細胞培養の感染を引き起こし得るという事実であることが知られている。
【０００７】
本発明の根本的な目的は、細胞への酸素の不充分な供給により細胞生長が制限されることなく、高い細胞密度で細胞培養を発生させるための、経済的に生産され得る、取り扱いの容易な、感染の危険の減少した、培養容器を実用化すること
【０００８】
【課題を解決するための手段】本発明によれば、その特徴を上述した培養容器を基に、
細胞培養を汚染する微生物および液体を透過しない、細胞培養チャンバーの境界を定める気体交換膜が、気体の供給および排出系として備えられていることにより上記目的が達成された
気体は、管またはホースの形態の気体供給および排出ラインを有しない気体交換膜により供給および排出されることができる。従って、培養容器は、例えば、ローラーボトルのように取り扱いが非常に容易であり、そしてその使用も容易である。気体供給に必要な気体は直接細胞培養チャンバーに運ばれ、そして気体代謝産物は直接気体交換膜を通して細胞培養チャンバーから排出されるので、より素早い気体交換、ならびに培養細胞を囲む雰囲気と細胞培養チャンバーの外界の圧力を適切に調整することにより直接的に影響され得る事柄が達成され得る。
　
（刊２−４）【図１】
」
　
３　原査定の拒絶理由に引用された本願の優先日前に頒布された刊行物である「特表平１０−５０４７１０号公報」（以下、「刊行物３」という。）には、次の事項が記載されている。
　
（刊３−１）「【特許請求の範囲】
  １．ａ）下部
ガス透過性フィルム１２０
シート２０
培養培地
細胞培養区画室４０
  ｂ）
基本培地区画室３０
  ｃ）該細胞培養区画室４０への
アクセス口７０
  ｄ）該基本培地区画室３０への
アクセス口９０
  ｅ）ガス透過性フィルム１２０の主部分は、懸濁細胞が該ガス透過性フィルム１２０の水平部分を横断して分布することができかつ該細胞培養区画室４０に出入りするガス移動が実質的に損なわれないように実質的に水平な位置に保たれるところの、該ガス透過性フィルム１２０の下にかつ該フィルムと一部接触するガスフィルム支持体１３０
を有する容器を含む自蔵（ｓｅｌｆ−ｃｏｔａｎｉｎｅｄ）非潅流の細胞培養装置。」
　
（刊３−２）「
背景−発明の分野
・・・
図面の簡単な説明
　図１は、区画された組織培養フラスコの中央を切欠いた図である；
・・・
図面中の参照番号
１０    区画された組織培養フラスコ
１５    区画されたマルチプルウエル組織培養プレート
２０    膜
３０    基本培地区画室
４０    細胞培養区画室
５０    培養培地
６０    基本培地
７０    細胞培養区画室アクセス口
８０    細胞培養区画室アクセス口キャップ
８５    上蓋
９０    基本培地アクセス口
１００  基本培地アクセス口キャップ
１１０  膜支持体
１２０  ガス透過性フィルム
１３０  ガスフィルム支持体
・・・
詳細な説明
　今一層詳細に図面を参照すると、図１は、区画された組織培養フラスコ１０の実施態様における発明の切欠き図を示す。膜２０は、区画された組織培養フラスコ１０を基本培地区画室３０及び細胞培養区画室４０に分ける。細胞又は組織を含有する培養培地５０が細胞培養区画室４０内に存在する。基本培地６０が基本培地区画室３０内に存在する。細胞培養区画室４０へのアクセスを、細胞培養区画室アクセス口７０によって供し、該アクセスロ７０を細胞培養区画室アクセス口キャップ８０で蓋をする。基本培地区画室３０へのアクセスを、基本培地アクセス口９０によって供し、該アクセス口９０を基本培地アクセス口キャップ１００で蓋をする。膜支持体１１０は、膜２０を安定にする。ガス透過性フィルム１２０は、ガスフィルム支持体１３０の上面上にあり、該ガスフィルム支持体１３０は、ガスをガスアクセス開口部１４０によってガス透過性フィルム１２０の表面の大部分に接触させるように適応させる。足１５０は、ガスフィルム支持体１３０を区画された組織培養フラスコ１０がのっている表面よりも上に持ち上げる。
・・・
　膜２０は、分子類を選択的に透過し得る材料である。セルロース、ポリアクリロニトリル、ポリスルホン、ポリカーボネート及びポリアクリロアミドを含むいくつかのタイプの材料が容認し得る。例えば、マウスのハイブリドーマ細胞を培養するのに、分子量が１５，０００よりも大きな分子や化合物をとどめる透析膜が一般に用いられる。この特性を有する膜を使用することによって、細胞、成長因子、及び分泌される抗体が細胞培養区画室４０中にとどめられる。他の用途では、一層大きな分子や化合物を基本培地６０と培養培地５０との間を自由に通過させるのが有利になるかもしれない。例えば、リンパ球の高密度培養は、多量の生育促進因子を存在させることを要するかもしれない。インターロイキン２のようなこれらの因子を基本培地６０及び培養培地５０中に導入することができる。膜２０の細孔寸法を適当に選択することによって、これらの因子の大きな源をリンパ球に対して利用可能にさせることができる。
　膜２０は、ほとんどの用途で、分子量カットオフ１５０，０００ダルトンを越えないことになろう。それでも、更に大きな細孔寸法が望ましくなり得る用途がある。例えば、目的がただ多数の細胞を培養することだけにあるならば、細胞を細胞培養区画室４０中にとどめる任意の細孔寸法を用いることができる。この場合、Ｐｏｒｅｔｉｃｓ  Ｃｏｒｐｏｒａｔｉｏｎ（カリフォルニア、リバーモア）から市販されているような０．２〜０．４５μＭ微孔質ポリカーボネート膜を使用することができよう。
  膜支持体１１０は、膜２０を安定にする。基本培地６０を基本培地区画室３０に加えるにつれて、その重さが膜２０に転嫁される。膜支持体１１０は、膜２０をたるませかつ培養培地５０を培養培地ヘッドスペース１８０中に押しのけさせないようにする。膜支持体１１０は、透析の表面を実質的に減少させるために、膜５０との接触を最小にさせる。膜支持体１１０は、気泡を自由に培養培地ヘッドスペース１８０に移動させるようにデザインする。膜支持体１１０は、任意の生適合性材料で造ることができる。好適な実施態様では、それは、ポリスチレン又はポリカーボネートのような透明プラスチックにする。膜２０が、堅いメッシュバッキングにキャストした材料であるか或はガス透過性フィルム１２０よりも上にある培養培地５０の容積を精確に制御することを必要としないならば、膜支持体１１０は随意である。」（９頁３行〜１８頁２０行）
　
（刊３−３）「【図１】
」
　
第４　刊行物１に記載された発明
　刊行物１には、前記（刊１−１）のとおりの「膜を介する細胞の同時培養用のローラ瓶」に関する発明が記載されているところ、その「内部容器」について、「前記
外側
外部
流体
　
（刊行物１発明）：
「
膜を介する細胞の同時培養用のローラ瓶
長手方向軸線と、側壁と、第一の端部及び第二の端部を有する、内部の
第一のチャンバ
流体アクセス口
外部容器
内部の
第二のチャンバ
前記外部容器内に同軸状に配置
内部容器
前記外部容器の前記第二の端部、及び前記内部容器の前記第二の端部の各々が、前記第二のチャンバに対する
流体アクセス口
前記外部容器が、気体及び流体に対して略不透過性である材料で形成され且つ前記第一の端部及び前記第二の端部にて流体密に略密封され、これにより、前記第一の端部にて前記第一のネック部からの前記流体アクセス口を有する前記第一のチャンバを形成し、
前記内部容器が、側壁を有し、該
側壁の少なくとも一部分が微孔質材料
前記内部容器の側壁が、前記内部容器の前記第一の端部及び前記第二の端部にて略流体密に密封され、これにより、前記内部容器の第二の端部から及び前記膜を介して流体のアクセスがなされる前記第二のチャンバを形成することを特徴とするローラ瓶。」
　
第５　対比・判断
１　本願発明と刊行物１発明の対比
ア　刊行物１発明の「膜」は、前記（刊１−２）によれば、水性培地に可溶性である細胞代謝物を透過して、種類の異なる細胞間の化学的連絡を許容する一方で、一種類の細胞が別の種類の細胞と物理的に接触するのを防止する」機能を果たす「微孔質膜」である。そして、第一のチャンバと第二のチャンバとの流体連通を許容する側壁を形成するものであるから、刊行物１発明において、「膜」は、内部容器の側壁の少なくとも一部分に形成されるものであることは明らかである。
　
イ　一方、本願発明における半透膜に関し、本願明細書には、次の記載がある。
　「【００２０】
  半透膜２５の特性は、基礎培地３０と細胞培養培地３５との間を通過可能にすることを決定し、細胞培養区画２０内に保持されることを決定する。半透膜２５のどの特性が特定の細胞培養適用に望まれるかを記載する多くの情報源が利用されている。例えば、セルラインと称される製品は、１０，０００ＭＷＣＯ再生酢酸セルロース膜を利用しており、これは、高密度モノクローナル抗体の生成に非常に有効であることが証明されている。
共培養が望まれる場合、半透膜は、物理的接触から細胞を分離するように機能するが、半透膜を通じて分泌生成物を行き来させるようにしている。微多孔性膜は、通常は、共培養用に使用されている
　これによれば、刊行物１発明の「膜」は、微孔質の材料からなる膜として、本願発明の「半透膜」に包含されるものであり、刊行物１発明の「膜を介する細胞の同時培養用のローラ瓶」は、共培養用の装置として、本願発明の「仕切られている細胞培養装置」に包含されるということができる。
　
ウ　そうすると、刊行物１発明は、前記（刊１−４）〜（刊１−６）にも照らし、本願発明と対比すれば、次のとおりの対応関係があるものであるということができる。
　すなわち、前者における「外部容器」、外部容器の「側壁により囲繞された第一のチャンバ」、「外部容器内に同軸状に配置され」る「略円筒状の内部容器」に設けられた「第二のチャンバ」、「第二のチャンバに対する流体アクセス口」、「第一のチャンバに対する流体アクセス口」、「膜」、及び、「膜を介する細胞の同時培養用のローラ瓶」は、各々、後者の「装置ハウジング」、「細胞培養培地を貯蔵するための細胞培養区画」、「基礎培地を貯蔵するための基礎培地区画」、「細胞培養区画へのアクセスポート」、「基礎培地区画へのアクセスポート」、「基礎培地と細胞培養培地との間を通過可能にすると共に細胞培養区画内に保持されることを制御するため」の「基礎培地区画の側面」の「少なくとも一部」の「半透膜」、及び「仕切られている細胞培養装置」に相当する。
　
エ　以上から、本願発明と刊行物１発明との間には、次の一致点・相違点があるということができる。
　
（一致点）：仕切られている細胞培養装置であって、装置ハウジングと、前記装置ハウジング内において、基礎培地を貯蔵するための基礎培地区画と、前記基礎培地区画と前記装置ハウジングとの間の空間に設けられ、細胞培養培地を貯蔵するための細胞培養区画と、前記基礎培地区画へのアクセスポートと、前記細胞培養区画へのアクセスポートとを備え、前記基礎培地と前記細胞培養培地との間を通過可能にすると共に前記細胞培養区画内に保持されることを制御するため、前記基礎培地区画の側面の少なくとも一部が半透膜からなる細胞培養装置。
　
（相違点１）：装置ハウジングの底部に関し、本願発明は、平坦なガス透過性底部を有するものであるのに対して、刊行物１発明は、このような特定がない点、
　
（相違点２）：基礎培地区画が設けられる位置に関し、本願発明は、装置ハウジング内で、その底部から所定の距離を空けた位置であるのに対して、刊行物１発明は、このような特定がない点
　
（相違点３）：細胞培養区画が設けられる位置に関し、本願発明は、細胞培養区画が、基礎培地区画と装置ハウジングの底部との間の空間、及び、基礎培地区画と装置ハウジングの側面との間の空間であるのに対して、刊行物１発明は、このような特定がない点、
　
２　相違点についての容易想到性の判断
２−１　相違点１〜３について
　相違点１〜３は、装置ハウジング内における平坦なガス透過性底部、基礎培地区画、細胞培養区画の配置に関する事項であり、相互に関連するものであるから、以下に、まとめて検討する。
　
ア　まず、「底部」について確認すると、本願明細書の段落【００４１】には、
「【００４１】
　仕切装置は、回転せずに機能するように構成することができる。例えば、これは、細胞のせん断を減らした場合や、回転器具が利用できない場合などに、好都合になり得る。
図１１Ａは、回転を要しない方法で
底部
との記載がある一方で、段落【００５１】には、
「（実施例１）
  細胞密度の増加及び血清使用量の減少について接着性細胞を含む仕切装置の評価
  図１４に示す仕切装置試験装置５００を作製した。その装置ハウジングは、コーニング（登録商標）社製の８５０ｃｍ２
ローラーボトルを改造して作製した。そのボトルの底部
　これらによれば、本願明細書において、「底部」とは、図１１Ａのように、仕切装置１０Ｅを垂直に立てて用いたときの底部のみならず、図１４のように、実際には垂直に立てて用いられることのないローラーボトルの底部をも包含するものであるということができる。
　
イ　さて、前記（刊２−１）〜（件２−２）のとおり、刊行物２には、栄養培地と細胞培養チャンバーとを透析膜により画し、該透析膜を通じて栄養分を栄養培地から細胞培養チャンバーに移し入れる細胞培養用容器であって、細胞培養中に要求されそして生成される気体用の供給及び排出系として、細胞培養を汚染する微生物及び液体を透過させない、部分的に細胞培養チャンバーの境界を定める気体交換膜を備えた細胞培養用容器が記載されている。
　
ウ　また、前記（刊３−１）〜（件３−３）のとおり、刊行物３には、基本培地区画と細胞培養区画とを、潅流させるべき培養の化合物を選択的に透過し得るシートにより画し、該シートを通じて栄養分を細胞培養区画内に移し入れる細胞培養装置であって、該細胞培養区画の底部にガス透過性フィルムを備えた構成が記載されている。
　
エ　これらによれば、好気性細胞を培養する際に、細胞培養区画の境界の一部がガス透過性材料からなる膜によって外界と通じる構成の容器を用いることは、細胞培養技術分野における周知の技術手段であるというべきであるから、刊行物１発明の外部容器（本願発明の装置ハウジングに相当。）においても、略円筒状の内部容器の底部（略円筒状の内部容器の第二の端部ではない端部）に対向する外部容器の第一の端部を、ガス透過性材料を用いた平坦な底部とすることは、刊行物１〜３に接した当業者が容易に想到し得ることであるということができる。
　
オ　なお、その場合、必然的に、外部容器内においては、そのガス透過性底部から所定の距離を空けて基礎培地区画が設けられ、そのガス透過性底部と基礎培地区画との間の空間、及び、基礎培地区画と外部容器側面との間の空間が細胞培養区画となる。また、外部容器の第一の端部を平坦なガス透過性底部とすることに伴って、細胞培養区画へのアクセスポートは、適宜の位置に設けることができるものである。
　
カ　以上のとおりであるから、相違点１〜３に係る構成は、刊行物１〜３に接した当業者が容易になし得るものである。
　
２−２　相違点１〜３に係る構成を採用する効果
　相違点１〜３に係る構成を採用することによって、細胞培地容積に対する基礎培地容積の高い比を保ち得ること、細胞培養培地内に存在する重要な物質が希釈されることを防止し得ることは、半透膜を採用することを前提にして検討した前記のことから、当業者の予測し得ない格別顕著な効果であるということはできない。
　
３　小括
　以上のとおりであるから、本願発明は、刊行物１〜３に記載された技術的事項に基づいて、当業者が容易に発明をすることができたものである。
　
第６　むすび
　以上から、本願発明は、特許法第２９条第２項の規定により特許を受けることができない。
　したがって、本願は拒絶すべきものである。
　よって、結論のとおり審決する。